(57)【要約】  本発明の実施例は、外側に係止部が設けられるレンズの位置を制限するためのレンズ位置制限組立体を提供する。前記レンズ位置制限組立体は弾性素子、レンズ装着リング、及び締付けリングを含み、前記レンズ装着リングは前記弾性素子に設けられ、前記レンズが前記レンズ装着リング内に装着された後、前記係止体は弾性素子の下方に係止されており、前記締付けリングは一方向へ回動するとき、前記弾性素子に当接し且つ前記弾性素子を付勢し、前記弾性素子に前記レンズの係止体を付勢させることでレンズを締め付ける。本発明の実施例は前記レンズ位置制限組立体を用いるカメラのボディ及びカメラを更に提供する。
2017509930.tif 000002
【特許請求の範囲】
【請求項１】
レンズの位置を制限するためのレンズ位置制限組立体であって、前記レンズの外側には係止体が設けられており、前記レンズ位置制限組立体は、
弾性素子と、レンズ装着リングと、締付けリングとを含み、
前記レンズ装着リングは前記弾性素子に設けられており、前記レンズが前記レンズ装着リング内に装着された後、前記係止体は弾性素子の下方に係止されており、
前記締付けリングは一方向へ回動するとき、前記弾性素子に当接し且つ前記弾性素子を付勢し、前記弾性素子に前記レンズの係止体を付勢させることでレンズを締め付けるレンズ位置制限組立体。
【請求項２】
前記弾性素子は環状の弾性片であり、弾性本体と弾性アームを含み、前記弾性アームは前記弾性本体の内側から前記本体の軸線に沿って下向きに伸びることにより形成されており、前記締付けリングはフランジを含み、前記フランジは前記弾性アームに当接していることを特徴とする請求項１に記載のレンズ位置制限組立体。
【請求項３】
前記弾性アームは第１端と第２端を含み、前記本体の軸線の方向における前記第１端の位置は前記弾性本体の軸線の方向における前記第２端の位置より高く、前記弾性アームと前記弾性本体との間に間隙が形成されており、前記フランジは前記間隙内に収容されていることを特徴とする請求項２に記載のレンズ位置制限組立体。
【請求項４】
前記締付けリングは本体と前記本体から内側へ向かって凸設形成されたフックとを含み、前記フックは連結部と屈曲部を含み、前記連結部は前記本体の内壁と互いに連結しており、前記レンズ装着リングは収容溝を含み、前記連結部と前記屈曲部は前記収容溝内に収容されており、前記屈曲部は一端が前記連結部に連結しており、他端がまっすぐに延びており、前記フランジは前記屈曲部の末端で形成され且つ前記弾性アームへ向かって延びていることを特徴とする請求項２に記載のレンズ位置制限組立体。
【請求項５】
前記フランジには前記連結部の１つの側へ向かって傾斜面が形成されており、前記傾斜面は前記フランジと前記屈曲部とを連結していることを特徴とする請求項４に記載のレンズ位置制限組立体。
【請求項６】
前記レンズ装着リングは第１合わせ面を含み、前記第１合わせ面は前記弾性素子へ向く前記レンズ装着リングの端面に設置されており、且つ前記レンズ装着リングの円周方向に沿って傾斜していることを特徴とする請求項１に記載のレンズ位置制限組立体。
【請求項７】
前記レンズ装着リングの端面には前記第１合わせ面と連結する収容溝が更に設けられており、前記レンズ装着リングは前記締付けリング内に収容されており、前記締付けリングはフックを含み、前記フックは前記締付けリングの内側から延出し且つ前記収容溝内に収容されており、前記レンズ装着リングは前記第１合わせ面に当接する第２合わせ面を含み、前記第２合わせ面は前記レンズ装着リングの表面へ向く前記フックの端部に設置されており、前記第２合わせ面に対向する前記フックの他方の表面は平面であり、前記平面は前記弾性素子に当接していることを特徴とする請求項６に記載のレンズ位置制限組立体。
【請求項８】
前記フックは前記締付けリングの内側と連結する連結部及び前記連結部から屈曲して延びる屈曲部を含み、前記第２合わせ面は前記レンズ装着リングの表面へ向く前記屈曲部の端部に設置されており、前記平面は前記第２合わせ面に対向する前記屈曲部の他方の表面に設置されていることを特徴とする請求項７に記載のレンズ位置制限組立体。
【請求項９】
前記レンズ装着リングは位置制限部を含み、前記位置制限部の左右両側は平滑な表面であり、前記レンズは前記平滑な表面から前記レンズ装着リング内に滑り込んだ後容易に回転して前記係止体を前記位置制限部及び弾性素子の下方に移動させることを特徴とする請求項１に記載のレンズ位置制限組立体。
【請求項１０】
カメラのボディであって、固定枠及びレンズ位置制限組立体を含み、前記固定枠は接点基部取付位置を有し、レンズの位置を制限するための前記レンズ位置制限組立体は前記接点基部取付位置に設置されており、前記レンズの外側には係止体が設けられており、前記レンズ位置制限組立体は、
弾性素子と、レンズ装着リングと、締付けリングとを含み、
前記レンズ装着リングは前記弾性素子に設けられており、前記レンズが前記レンズ装着リング内に装着された後、前記係止体は弾性素子の下方に係止されており、
前記締付けリングは一方向へ回動するとき、前記弾性素子に当接し且つ前記弾性素子を付勢し、前記弾性素子に前記レンズの係止体を付勢させることでレンズを締め付けるカメラのボディ。
【請求項１１】
前記弾性素子は環状の弾性片であり、弾性本体と弾性アームを含み、前記弾性アームは前記弾性本体の内側から前記本体の軸線に沿って下向きに伸びることにより形成されており、前記締付けリングはフランジを含み、前記フランジは前記弾性アームに当接していることを特徴とする請求項１０に記載のカメラのボディ。
【請求項１２】
前記弾性アームは第１端と第２端を含み、前記本体の軸線の方向における前記第１端の位置は前記弾性本体の軸線の方向における前記第２端の位置より高く、前記弾性アームと前記弾性本体との間に間隙が形成されており、前記フランジは前記間隙内に収容されていることを特徴とする請求項１１に記載のカメラのボディ。
【請求項１３】
前記締付けリングは本体と前記弾性本体から内側へ向かって凸設形成されたフックとを含み、前記フックは連結部と屈曲部を含み、前記連結部は前記弾性本体の内壁と互いに連結しており、前記レンズ装着リングは収容溝を含み、前記連結部と前記屈曲部は前記収容溝内に収容されており、前記屈曲部は一端が前記連結部に連結し、他端がまっすぐに延びており、前記フランジは前記屈曲部の末端で形成され且つ前記弾性アームへ向かって延びていることを特徴とする請求項１１に記載のカメラのボディ。
【請求項１４】
前記フランジには前記連結部の１つの側へ向かって傾斜面が形成されており、前記傾斜面は前記フランジと前記屈曲部とを連結していることを特徴とする請求項１３に記載のカメラのボディ。
【請求項１５】
前記レンズ装着リングは第１合わせ面を含み、前記第１合わせ面は前記弾性素子へ向く前記レンズ装着リングの端面に設置されており、且つ前記レンズ装着リングの円周方向に沿って傾斜していることを特徴とする請求項１０に記載のカメラのボディ。
【請求項１６】
前記レンズ装着リングの端面には前記第１合わせ面と連結する収容溝が更に設けられており、前記レンズ装着リングは前記締付けリング内に収容されており、前記締付けリングはフックを含み、前記フックは前記締付けリングの内側から延出し且つ前記収容溝内に収容されており、前記レンズ装着リングは前記第１合わせ面に当接する第２合わせ面を含み、前記第２合わせ面は前記レンズ装着リングの表面へ向く前記フックの端部に設置されており、前記第２合わせ面に対向する前記フックの他方の表面は平面であり、前記平面は前記弾性素子に当接していることを特徴とする請求項１５に記載のカメラのボディ。
【請求項１７】
前記フックは前記締付けリングの内側と連結する連結部及び前記連結部から屈曲して延びる屈曲部を含み、前記第２合わせ面は前記レンズ装着リングの表面へ向く前記屈曲部の端部に設置されており、前記平面は前記第２合わせ面に対向する前記屈曲部の他方の表面に設置されていることを特徴とする請求項１６に記載のカメラのボディ。
【請求項１８】
前記レンズ装着リングは互いに間隔を空けた複数の位置制限部を含み、隣接する２つの位置制限部の間には取付部が形成されており、前記係止体は前記取付部から前記レンズ装着リング内に入り且つ前記位置制限部の下方に係止されていることを特徴とする請求項１０に記載のカメラのボディ。
【請求項１９】
前記固定枠には位置決めピンと複数のボルトが設置されており、前記弾性素子には第１位置決め孔が設けられており、前記レンズ装着リングは対向して設置された第１端面と第２端面を含み、前記第１端面には第２位置決め孔が設けられており、前記位置決めピンは前記第１位置決め孔と前記第２位置決め孔を通過しており、前記第２端面には複数のボルト孔が設けられており、前記ボルトは対応する前記ボルト孔を通過していることを特徴とする請求項１０に記載のカメラのボディ。
【請求項２０】
前記固定枠は位置制限構造を更に含み、前記弾性素子には係止口が設けられており、前記位置制限構造と前記係止口は嵌め合わせて係合しており、前記レンズ装着リングには前記第１端面と前記第２端面とを貫通して設置される装着孔が更に設けられており、前記位置制限構造は位置制限凸部を含み、前記位置制限凸部は前記装着孔を通過して前記レンズの位置を決めることを特徴とする請求項１９に記載のカメラのボディ。
【請求項２１】
前記固定枠における外壁には内向きに第１装着孔が設けられており、前記レンズ装着リングの前記レンズへ向く側には第２装着孔が設けられており、前記第１装着孔と前記第２装着孔は互いに連通しており、前記位置制限構造はボタン、第１弾性部材及び第２弾性部材を更に含み、前記ボタンと前記第１弾性部材は前記第１装着孔を通過し、前記位置制限凸部と前記第２弾性部材は前記第２装着孔を通過していることを特徴とする請求項１０に記載のカメラのボディ。
【請求項２２】
前記ボタンはボタン体と前記ボタン体に凸設される２つの互いに間隔を空けた係止部とを含み、各前記係止部は互いに連結する第１連結アームと第２連結アームを含み、前記第１連結アームは第１傾斜面を含み、前記第２連結アームは挟持縁部を含み、前記挟持縁部は前記第１傾斜面から前記ボタン体に平行な方向に沿って下向きに伸びることにより形成されており、前記第１傾斜面は前記位置制限構造に当接し、前記挟持縁部は前記位置制限構造を挟持していることを特徴とする請求項２１に記載のカメラのボディ。
【請求項２３】
前記位置制限構造はホルダ、凸状柱体及びシャフトロッドを含み、前記ホルダは第１支持部を含み、前記凸状柱体と前記シャフトロッドは前記第１支持部の対向する両側に設置されており、前記第２装着孔内には取付柱が形成されており、前記取付柱の両側には段差面が形成されており、前記第２弾性部材は前記シャフトロッドに套設され且つ前記第１支持部と前記段差面との間に当接しており、前記取付柱には導通孔が設けられており、前記シャフトロッドは前記導通孔を通過していることを特徴とする請求項２１に記載のカメラのボディ。
【請求項２４】
前記ホルダは第２支持部を含み、前記第２支持部の上部には内側へ向かって２つの位置制限端及び支持端が形成されており、前記第１弾性部材は前記ボタン体と前記支持端との間に当接し、前記位置制限端は対向して設置される上凸部と下凸部を含み、前記下凸部には第２傾斜面が形成されており、前記第１傾斜面は前記第２傾斜面に当接しており、前記係止部は前記位置制限端を通過し、前記挟持縁部は前記下凸部を挟持していることを特徴とする請求項２３に記載のカメラのボディ。
【請求項２５】
カメラであって、レンズ及びカメラのボディを含み、前記カメラのボディは固定枠及びレンズ位置制限組立体を含み、前記固定枠は接点基部取付位置を有し、前記レンズの位置を制限するための前記レンズ位置制限組立体は前記接点基部取付位置に設置されており、前記レンズの外側には係止体が設けられており、前記レンズ位置制限組立体は、
弾性素子と、レンズ装着リングと、締付けリングとを含み、
前記レンズ装着リングは前記弾性素子に設けられており、前記レンズが前記レンズ装着リング内に装着された後、前記係止体は弾性素子の下方に係止されており、
前記締付けリングは一方向へ回動するとき、前記弾性素子に当接し且つ前記弾性素子を付勢し、前記弾性素子に前記レンズの係止体を付勢させることでレンズを締め付けるカメラ。
【請求項２６】
前記弾性素子は環状の弾性片であり、弾性本体と弾性アームを含み、前記弾性アームは前記弾性本体の内側から前記本体の軸線に沿って下向きに伸びることにより形成されており、前記締付けリングはフランジを含み、前記フランジは前記弾性アームに当接していることを特徴とする請求項２５に記載のカメラ。
【請求項２７】
前記弾性アームは第１端と第２端を含み、前記本体の軸線の方向における前記第１端の位置は前記弾性本体の軸線の方向における前記第２端の位置より高く、前記弾性アームと前記弾性本体との間に間隙が形成されており、前記フランジは前記間隙内に収容されていることを特徴とする請求項２６に記載のカメラ。
【請求項２８】
前記締付けリングは本体と前記弾性本体から内側へ向かって凸設形成されたフックとを含み、前記フックは連結部と屈曲部を含み、前記連結部は前記本体の弾性内壁と互いに連結しており、前記レンズ装着リングは収容溝を含み、前記連結部と前記屈曲部は前記収容溝内に収容されており、前記屈曲部は一端が前記連結部に連結し、他端がまっすぐに延びており、前記フランジは前記屈曲部の末端で形成され且つ前記弾性アームへ向かって延びていることを特徴とする請求項２６に記載のカメラ。
【請求項２９】
前記フランジには前記連結部の１つの側へ向かって傾斜面が形成されており、前記傾斜面は前記フランジと前記屈曲部とを連結していることを特徴とする請求項２８に記載のカメラ。
【請求項３０】
前記レンズ装着リングは第１合わせ面を含み、前記第１合わせ面は前記弾性素子へ向く前記レンズ装着リングの端面に設置されており、且つ前記レンズ装着リングの円周方向に沿って傾斜していることを特徴とする請求項２５に記載のカメラ。
【請求項３１】
前記レンズ装着リングの端面には前記第１合わせ面と連結する収容溝が更に設けられており、前記レンズ装着リングは前記締付けリング内に収容されており、前記締付けリングはフックを含み、前記フックは前記締付けリングの内側から延出し且つ前記収容溝内に収容されており、前記レンズ装着リングは前記第１合わせ面に当接する第２合わせ面を含み、前記第２合わせ面は前記レンズ装着リングの表面へ向く前記フックの端部に設置されており、前記第２合わせ面に対向する前記フックの他方の表面は平面であり、前記平面は前記弾性素子に当接していることを特徴とする請求項３０に記載のカメラ。
【請求項３２】
前記フックは前記締付けリングの内側と連結する連結部及び前記連結部から屈曲して延びる屈曲部を含み、前記第２合わせ面は前記レンズ装着リングの表面へ向く前記屈曲部の端部に設置されており、前記平面は前記第２合わせ面に対向する前記屈曲部の他方の表面に設置されることを特徴とする請求項３１に記載のカメラ。
【請求項３３】
前記レンズ装着リングは互いに間隔を空けた複数の位置制限部を含み、隣接する２つの位置制限部の間には取付部が形成されており、前記係止体は前記取付部から前記レンズ装着リング内に入り且つ前記位置制限部の下方に係止されていることを特徴とする請求項２５に記載のカメラ。
【請求項３４】
前記固定枠には位置決めピンと複数のボルトが設置されており、前記弾性素子には第１位置決め孔が設けられており、前記レンズ装着リングは対向して設置される第１端面と第２端面を含み、前記第１端面には第２位置決め孔が設けられており、前記位置決めピンは前記第１位置決め孔と前記第２位置決め孔とを通過しており、前記第２端面には複数のボルト孔が設けられており、前記ボルトは対応する前記ボルト孔を通過していることを特徴とする請求項２５に記載のカメラのボディ。
【請求項３５】
前記固定枠は位置制限構造を更に含み、前記弾性素子には係止口が設けられており、前記位置制限構造と前記係止口は嵌め合わせて係合し、前記レンズ装着リングには前記第１端面と前記第２端面とを貫通して設置される装着孔が更に設けられており、前記位置制限構造は位置制限凸部を含み、前記位置制限凸部は前記装着孔を通過して前記レンズの位置を決めることを特徴とする請求項３４に記載のカメラ。
【請求項３６】
前記固定枠における外壁には内向きに第１装着孔が設けられており、前記固定枠の前記レンズへ向く側には第２装着孔が設けられており、前記第１装着孔と前記第２装着孔は互いに連通しており、前記位置制限構造はボタン、第１弾性部材及び第２弾性部材を更に含み、前記ボタンと前記第１弾性部材は前記第１装着孔内に収容されており、前記位置制限凸部と前記第２弾性部材は前記第２装着孔内に収容されていることを特徴とする請求項２５に記載のカメラ。
【請求項３７】
前記ボタンはボタン体と前記ボタン体に凸設される２つの互いに間隔を空けた係止部とを含み、各前記係止部は互いに連結する第１連結アームと第２連結アームを含み、前記第１連結アームは第１傾斜面を含み、前記第２連結アームは挟持縁部を含み、前記挟持縁部は前記第１傾斜面から前記ボタン体に平行な方向に沿って下向きに伸びることにより形成されており、前記第１傾斜面は前記位置制限構造に当接し、前記挟持縁部は前記位置制限構造を挟持していることを特徴とする請求項３６に記載のカメラ。
【請求項３８】
前記位置制限構造はホルダ、凸状柱体及びシャフトロッドを含み、前記ホルダは第１支持部を含み、前記凸状柱体と前記シャフトロッドは前記第１支持部の対向する両側に設置されており、前記第２装着孔内には取付柱が形成されており、前記取付柱の両側には段差面が形成されており、前記第２弾性部材は前記シャフトロッドに套設され且つ前記第１支持部と前記段差面との間に当接し、前記取付柱には導通孔が設けられ、前記シャフトロッドは前記導通孔を通過していることを特徴とする請求項３６に記載のカメラ。
【請求項３９】
前記ホルダは第２支持部を含み、前記第２支持部の上部には内側へ向かって２つの位置制限端及び支持端が形成されており、前記第１弾性部材は前記ボタン体と前記支持端との間に当接し、前記位置制限端は対向して設置された上凸部と下凸部を含み、前記下凸部には第２傾斜面が形成され、前記第１傾斜面は前記第２傾斜面に当接しており、前記係止部は前記位置制限端を通過しており、前記挟持縁部は前記下凸部を挟持していることを特徴とする請求項３８に記載のカメラ。
【請求項４０】
前記レンズは鏡筒を含み、前記鏡筒の底端には装着部が設けられており、前記係止体は間隔を空けて前記装着部の外壁に設置されていることを特徴とする請求項２５に記載のカメラ。
【発明の詳細な説明】
【技術分野】
【０００１】
本発明はレンズ位置制限組立体、並びにレンズ位置制限組立体を有するカメラのボディ及び前記ボディを有するカメラに関する。
【背景技術】
【０００２】
カメラはレンズとボディを含み、レンズはボディと固定又は着脱可能に連結する。結像の安定性を保証するために、レンズからイメージセンサのフランジまでの距離は、できる限り精度を保証する必要があり、これにより安定かつはっきり結像できる。従来のカメラレンズの装着方式は、レンズをカメラのボディに回転して取り付け、ボディにおけるレンズ装着リングにより掛け、次にレンズ装着リングにレンズレリーズボタン組立体を加え、レンズ内に挿入して、レンズの脱落を防止することである。
【０００３】
上述の方式において、レンズが回転できる以上、一般的に少なくとも０．０５ｍｍ程度の間隙がある。しかし、カメラを振動があるステージに用いる場合、後部の接点とカメラレンズの接触が良好でなくなり、故障さえ生じるようになる。更に、レンズは間隙によりフランジバックを僅かに変化させる可能性もある。ある設計者はバネ片を用いて上述の間隙を除去することを提案するが、バネ片は安定でないため、緊密な適合を保証できない。
【発明の概要】
【発明が解決しようとする課題】
【０００４】
本発明の実施例が主に解決しようとする課題は、レンズを締め付け、レンズの回転及び軸方向の脱落を防止することができるレンズ位置制限組立体を提供することである。
【０００５】
本発明の実施例が主に解決しようとする別の課題は、前記レンズ位置制限組立体を有して、レンズを締め付け、レンズの回転及び軸方向の脱落を防止することができるカメラのボディを提供することである。
【０００６】
本発明の実施例が主に解決しようとする他の課題は、前記ボディを有するカメラを提供することである。
【課題を解決するための手段】
【０００７】
１つの態様において、本発明の実施例は、外側に係止体が設けられるレンズの位置を制限するためのレンズ位置制限組立体を提供する。前記レンズ位置制限組立体は弾性素子、レンズ装着リング、及び締付けリングを含み、前記レンズ装着リングは前記弾性素子に設けられており、前記レンズが前記レンズ装着リング内に装着された後、前記係止体は弾性素子の下方に係止されており、前記締付けリングは一方向へ回動するとき、前記弾性素子に当接し且つ前記弾性素子を付勢し、前記弾性素子に前記レンズの係止体を付勢させることでレンズを締め付ける。
【０００８】
別の態様において、本発明の実施例は、カメラのボディであって、固定枠を含み、前記固定枠は接点基部取付位置を有し、外側に係止体が設けられるレンズを装着することに用いられ、前記接点基部取付位置にはレンズ位置制限組立体が設置され、前記レンズ位置制限組立体はレンズ装着リング及び締付けリングを含み、前記レンズ装着リングは前記弾性素子に設けられており、前記レンズが前記レンズ装着リング内に装着された後、前記係止体は弾性素子の下方に係止されており、前記締付けリングは一方向へ回動するとき、前記弾性素子に当接し且つ前記弾性素子を付勢し、前記弾性素子に前記レンズの係止体を付勢させることでレンズを締め付けるカメラのボディを提供する。
【０００９】
他の態様において、本発明の実施例は、カメラであって、カメラのボディとレンズを含み、前記カメラのボディは固定枠を含み、前記固定枠は接点基部取付位置を有し、外側に係止体が設けられるレンズを装着することに用いられ、前記接点基部取付位置にはレンズ位置制限組立体が設置されており、前記レンズ位置制限組立体は弾性素子、レンズ装着リング及び締付けリングを含み、前記レンズ装着リングは前記弾性素子に設けられており、前記レンズが前記レンズ装着リング内に装着された後、前記係止体は弾性素子の下方に係止されており、前記締付けリングは一方向へ回動するとき、前記弾性素子に当接し且つ前記弾性素子を付勢し、前記弾性素子に前記レンズの係止体を付勢させることでレンズを締め付けるカメラを提供する。
【発明の効果】
【００１０】
本発明の実施例によるレンズ位置制限組立体には締付けリングが設けられる。締付けリングをねじると、弾性素子が付勢を受けてレンズの係止体を押さえることで、レンズを締め付けて、レンズの回転及び軸方向の脱落を防止する。本発明の実施例によるカメラのボディとカメラについては、前記レンズ位置制限組立体を有するため、レンズとボディを締め付けることができ、レンズの回転及び軸方向の脱落を防止する。
【図面の簡単な説明】
【００１１】
【図１】図１は、本発明の第１の好ましい実施例によるカメラの組立図である。
【図２】図２は、図１に示されたカメラの分解図である。
【図３】図３は、図２に示されたカメラの立体分解図である。
【図４】図４は、図３に示された位置制限構造の分解図である。
【図５】図５は、図４に示された位置制限構造が前記カメラに装着される状態を示す部分組立図である。
【図６】図６は、図５におけるカメラのＶＩ−ＶＩに沿う断面図である。
【図７】図７は、図３に示されたレンズ位置制限組立体の分解図である。
【図８】図８は、図４におけるＶＩＩＩ部分を示す拡大図である。
【図９】図９は、図４に示されたレンズ装着リングと締付けリングの組立図である。
【図１０】図１０は、図４に示されたレンズ位置制限組立体の組立図である。
【図１１】図１１は、図１に示されたカメラのＸＩ−ＸＩに沿う断面図である。
【図１２】図１２は、図１１におけるＸＩ部分を示す拡大図である。
【図１３】図１３は、本発明の第２の好ましい実施例によるレンズ位置制限組立体の分解立体図である。
【図１４】図１４は、図１３におけるレンズ装着リングの背面図である。
【図１５】図１５は、図１４におけるレンズ装着リングと締付けリングの組立図である。
【図１６】図１６は、本発明の第２の好ましい実施例によるカメラのボディを示す部分分解立体図である。
【図１７】図１７は、本発明の第２の好ましい実施例によるカメラのボディの組立図である。
【図１８】図１８は、本発明の第２の好ましい実施例によるカメラの装着前のレンズとボディを示す立体図である。
【図１９】図１９は、装着された図１８のレンズとボディの断面図である。
【図２０】図２０は、図７におけるＸＩＸ部分の拡大図である。
【発明を実施するための形態】
【００１２】
以下、図面を参照しながら、本発明の具体的な実施形態について詳細に説明する。
【００１３】
以下では、本発明の実施形態に係る添付図面を参照しながら、本発明の実施形態に係る技術的解決手段を明確かつ詳細に説明する。当然のことながら、ここで説明する実施形態は本発明の実施形態の全てではなく一部にすぎない。当業者が創造的な作業なしに本発明の実施形態に基づいて得る他の全ての実施形態は、本発明の保護範囲に含まれるべきである。
【００１４】
図１に示すように、本発明の実施例の第１の好ましい実施例によるカメラ３００は、レンズを取り外し可能な普通のカメラであってもよく、結像の品質がよい一眼レフカメラであってもよく、又は特別用途のカメラ、例えば無人機に用いられる空撮用のカメラなどであってもよい。図２に示すように、前記カメラ３００はレンズ３１０、カメラのボディ２００及びレンズ位置制限組立体１００を含み、前記レンズ３１０は前記レンズ位置制限組立体１００により前記カメラのボディ２００内に取り付けられる。
【００１５】
前記レンズ３１０は鏡筒３１２を含み、前記鏡筒３１２の底端には装着部３１３が設置され、前記装着部３１３の外壁には互いに間隔を空けた３つの係止体３１４が設けられ、前記レンズ位置制限組立体１００と適合して用いられる。
【００１６】
図３に示すように、前記カメラのボディ２００は固定枠２１０を含み、前記レンズ位置制限組立体１００は前記固定枠２１０内に設置される。前記固定枠２１０内には接点２１５が設けられ、レンズ３１０が強固に装着されるときにレンズ３１０内における駆動装置と電気的に接続することに用いられる。
【００１７】
前記固定枠２１０には複数の接点基部取付位置２２０が設けられ、前記レンズ３１０を装着することに用いられる。前記固定枠２１０には、１つの位置決めピン２３０、４つのボルト２４０及び伸縮可能な位置制限構造２５０が更に設置される。
【００１８】
なお、前記位置決めピン２３０、前記ボルト２４０及び前記係止体３１４の数は上述の数に限定されず、実際の要求に応じて設計されてもよい。
【００１９】
図４に示すように、前記位置制限構造２５０はボタン２５１、位置制限凸部２５３、第１弾性部材２５５及び第２弾性部材２５７を含む。このボタン２５１とこの位置制限凸部２５３は連結され、この第１弾性部材２５５はこのボタン２５１とこの位置制限凸部２５３の間に設置され、この第２弾性部材２５７はこの位置制限凸部２５３に套設される。
【００２０】
このボタン２５１はこのカメラのボディ２００の側面に移動可能に設置されることで、ユーザが押圧しやすいようにする。このボタン２５１はボタン体２５１１及びこのボタン体２５１１に設置される２つの係止部２５１５を含む。このボタン体２５１１は略長方体構造であり、対向して設置される第１面２５１２と第２面２５１３を含む。前記第１面２５１２は前記位置制限凸部２５３に近接し、前記第２面２５１３は前記位置制限凸部２５３から離れる。２つの前記係止部２５１５は前記第１面２５１２の両側から前記第１面２５１２から離れる方向に向かって垂直に伸びることにより形成され且つ互いに間隔を空けて設置され、前記第２面２５１３はユーザがこのボタン２５１を押圧して操作しやすいように用いられる。各係止部２５１５は一体的に設置される第１係止アーム２５１６と第２係止アーム２５１９を含む。前記第１係止アーム２５１６の一側には第１傾斜面２５１７が形成される。本実施例において、この第１傾斜面２５１７はこのボタン体２５１１の第１面２５１２からこの第１面２５１２に対して離れる方向に向かって傾斜し、即ち前記第１係止アーム２５１６はこの第１面２５１２と平行する方向に沿う幅がこの第１面２５１２からこの第１面２５１２に対して離れる方向に向かって徐々に減少する。この第１係止アーム２５１６はこの第１傾斜面２５１７に対向する表面２５１８を更に含む。本実施例において、この表面２５１８は平面である。この第２係止アーム２５１９はこの第１面２５１２に対向するこの第１係止アーム２５１６の一端に設置され且つこの第１面２５１２と略平行して設置される。この第２係止アーム２５１９は挟持縁部２５１０を含み、この挟持縁部２５１０はこの第１傾斜面２５１７がこの第１面２５１２の１つの側に対してこの第１面２５１２と平行する方向に沿って下向きに伸びることにより形成されている。この挟持縁部２５１０とこの第１傾斜面２５１７の間には係止空間２５１４が形成されて、この位置制限凸部２５３を係止する。
【００２１】
なお、前記係止部２５１５の数は上述の数に限定されず、実際の要求に応じて設計されてもよい。
【００２２】
この位置制限凸部２５３はこのカメラのボディ２００内に移動可能に設置され、このレンズ３１０の位置を相対的に制限することに用いられる。この位置制限凸部２５３は凸状柱体２５３１、ホルダ２５３３及びシャフトロッド２５３５を含む。この凸状柱体２５３１とこのシャフトロッド２５３５はこのホルダ２５３３の対向する両側に設置される。このホルダ２５３３は略逆「Ｌ」字状構造であり、互いに略直交して設置される第１支持部２５３６と第２支持部２５３７を含む。この凸状柱体２５３１はこの第１支持部２５３６に直交して設置され、このシャフトロッド２５３５はこの第１支持部２５３６のこの凸状柱体２５３１に対向する他面に直交して設置され且つこの凸状柱体２５３１と同じ直線上に位置する。この第２支持部２５３７はこのボタン２５１のボタン体２５１１と平行に設置される。前記第２支持部２５３７の中下部の両側にはそれぞれ切り欠き部分が切り取られて、この第２支持部２５３７の両側に２つの位置制限端２５３８及びこの２つの位置制限端２５３８の中央に位置する支持端２５３９を形成する。各前記位置制限端２５３８はこの支持端２５３９に対して突出して設置される上凸部２５３８ａと下凸部２５３８ｂを含む。前記下凸部２５３８ｂには更に第２傾斜面２５３８ｃが形成される。前記第２傾斜面２５３８ｃの傾斜度は前記第１傾斜面２５１７の傾斜度と互いに適合する。
【００２３】
図５及び図６に示すように、この固定枠２１０の外壁には内部に向かって第１装着孔２１６が設けられる。このレンズ位置制限組立体１００はレンズ装着リング２０を含み、このレンズ装着リング２０はこの固定枠２１０に設置される。このレンズ装着リング２０にはこのレンズ３１０の１つの側に向かって第２装着孔２１７が設けられる。このボタン２５１と第１弾性部材２５５はこの第１装着孔２１６を通過して前記カメラのボディ２００内に収容され、この位置制限凸部２５３とこの第２弾性部材２５７は前記第２装着孔２１７を通過して前記カメラのボディ２００内に収容されている。この第１装着孔２１６とこの第２装着孔２１７は内部が連通することで、このボタン２５１、この第１弾性部材２５５、この位置制限凸部２５３及びこの第２弾性部材２５７を相互に装着する。
【００２４】
本実施例において、この第２装着孔２１７の内部には取付柱２１７１が形成され、この取付柱２１７１の両側には段差面２１７３が形成され、この取付柱２１７１の中心には更に導通孔２１７４が設けられることで、前記シャフトロッド２５３５は通過してこの位置制限凸部２５３の傾斜を防止する。
【００２５】
この位置制限構造２５０を組み立てるとき、この位置制限凸部２５３の支持端２５３９はこのボタン２５１の２つの係止部２５１５の間に収容され、各前記係止部２５１５の第１係止アーム２５１６は各前記位置制限端２５３８を通過しており、前記第１係止アーム２５１６の第１傾斜面２５１７はそれぞれこの位置制限凸部２５３の下凸部２５３８ｂの第２傾斜面２５３８ｃに当接し、この挟持縁部２５１０はこの下凸部２５３８ｂにおいて挟持され、この第１弾性部材２５５はこのボタン体２５１１の第１面２５１２及びこの支持端２５３９の間に弾性当接し、この第２弾性部材２５７はこのシャフトロッド２５３５に套設され且つ一端がこの第１支持部２５３６に当接し、他端がこの段差面２１７３に当接している。ユーザがこのボタン２５１を押圧する場合、前記第２傾斜面２５３８ｃと前記第１傾斜面２５１７は互いに適合し、第１傾斜面２５１７に沿うこの作用力はこのボタン体２５１１に直交する推力及びこのボタン体２５１１に平行な下方向の圧力に分解できる。この推力はこの支持端２５３９に向かってこの第１弾性部材２５５を圧縮し、この下方向の圧力はこの第２傾斜面２５３８ｃに作用し且つこの位置制限凸部２５３を下向きに移動させ、更に前記第２弾性部材２５７を圧縮し前記レンズ３１０から脱離させる。ユーザがこのボタン２５１を押圧しないとき、この第１弾性部材２５５とこの第２弾性部材２５７は形状回復し且つこのボタン２５１を跳ね返させ、同時にこの凸状柱体２５３１をレンズ３１０内に係合させてこのレンズ３１０の回転を防止する。このボタン２５１が跳ね返る過程で、この挟持縁部２５１０はこの下凸部２５３８ｂにおいて挟持されることによって、このボタン２５１が跳ね返り過ぎてこの第１装着孔２１６から脱離することを防止する。
【００２６】
前記レンズ位置制限組立体１００は前記レンズ３１０を締め付け且つレンズ３１０の回転又は前記カメラのボディ２００の軸方向からの脱落を防止することに用いられる。
【００２７】
図７に示すように、前記レンズ位置制限組立体１００は弾性素子１０、レンズ装着リング２０及び締付けリング３０を含む。前記レンズ装着リング２０は前記弾性素子１０に設置され且つ前記締付けリング３０内に収容されており、且つ前記締付けリング３０は前記レンズ装着リング２０に対して回動できる。
【００２８】
前記弾性素子１０は弾性本体１１と前記弾性本体１１に設置される複数の弾性アーム１２とを含む。本実施例において、前記弾性本体１１は環状の弾性片であり、前記弾性アーム１２の数は３であり、３つの前記弾性アーム１２は前記弾性本体１１の内側に間隔を空けて設置される。具体的に、各前記弾性アーム１２は前記弾性本体１１の内側から前記弾性本体１１の軸線方向に沿って下向きに伸びることにより形成されている。前記弾性アーム１２は第１端１２１と第２端１２３を含み、前記弾性本体１１の軸線方向における前記第１端１２１の位置は前記弾性本体１１の軸線方向における前記第２端１２３の位置より高く、前記弾性アーム１２と前記弾性本体１１との間に間隙１３が形成されており、前記締付けリング３０の素子を収容する。前記弾性本体１１には第１位置決め孔１４と係止口１６が更に設けられる。本実施例において、前記係止口１６は前記弾性本体１１の外壁が内向きに凹むことにより形成され、前記係止口１６の形状は前記カメラのボディ２００の前記位置制限構造２５０と互いに適合して前記位置制限構造２５０に嵌め合わせて係合する。
【００２９】
前記レンズ装着リング２０は対向して設置される第１端面２１と第２端面２３を含み、前記第１端面２１は前記弾性素子１０に向かって設置され、前記第２端面２３は前記弾性素子１０から離反して設置される。図９に示すように、前記第１端面２１には第２位置決め孔２１１が設けられており、前記第２位置決め孔２１１と前記第１位置決め孔１４は前記カメラのボディ２００における１つの位置決めピン２３０により一連に連結される。具体的に、前記カメラのボディ２００における位置決めピン２３０は前記第１位置決め孔１４と前記第２位置決め孔２１１を通過して前記弾性素子１０とレンズ装着リング２０を前記カメラのボディ２００に固定する。前記第１端面２１には互いに間隔を空けた３つの収容溝２１３が更に凹設され、前記締付けリング３０における素子を収容することに用いられる。前記第２端面２３には前記第１端面２１と前記第２端面２３を貫通する装着孔２３１が設けられており、前記カメラのボディ２００の位置制限凸部２５３は前記装着孔２３１を通過して前記レンズ３１０の位置を決める。前記第２端面２３には４つのボルト孔２３３が更に設けられる。前記４つのボルト孔２３３は、前記カメラのボディ２００における４つのボルト２４０が通過して前記レンズ装着リング２０を前記カメラのボディ２００に固定することに用いられる。
【００３０】
前記レンズ装着リング２０の内壁は平滑な表面であり、互いに間隔を空けた３つの位置制限部２５が内側に向かって凸設され、各２つの前記位置制限部２５の間には取付部２７が形成されて、前記レンズ３１０の係止体３１４が通過し且つ前記カメラのボディ２００内に取り付けられることを容易にする。
【００３１】
なお、前記弾性アーム１２、前記収容溝２１３及び前記位置制限部２５の数は上述の数に限定されず、実際の要求に応じて設計されてもよい。
【００３２】
前記締付けリング３０は本体３１、フック３３及び滑り止め部３５を含み、前記フック３３と前記滑り止め部３５は前記本体３１の内外両側に設置される。前記本体３１は円環構造であり、且つ前記円環の直径は前記レンズ装着リング２０より大きくて前記レンズ装着リング２０をその内部に収容する。前記フック３３は前記本体３１の内側が内向きに凸設されることにより形成される。本実施例において、前記フック３３は略「Ｌ」字形であり、一体に設置される連結部３３１と屈曲部３３３を含む。前記連結部３３１は前記本体３１の内壁と互いに連結され、前記屈曲部３３３は一端が前記連結部３３１に連結しており、他端がまっすぐに延びている。前記屈曲部３３３の末端は前記弾性アーム１２に近接する１つの側に向かって伸びてフランジ３３５を形成し、前記弾性素子１０の弾性アーム１２に当接することに用いられる。図８に示すように、前記フランジ３３５の前記連結部３３１に向く１つの側は傾斜面３３４を形成して前記屈曲部３３３と前記フランジ３３５を連結する。図９及び図１０に示すように、前記弾性素子１０とレンズ装着リング２０が前記締付けリング３０内に収容される場合、前記フック３３の連結部３３１と屈曲部３３３は前記収容溝２１３内に収容されており、前記フランジ３３５は前記間隙１３内に収容され且つ前記弾性アーム１２に当接している。前記フランジ３３５が前記弾性アーム１２に対して移動し且つ前記弾性アーム１２に当接している場合、前記傾斜面３３４は前記弾性アーム１２と接触し、且つ前記フランジ３３５に前記傾斜面３３４を通過して移動させて前記弾性アーム１２に当接させ、これによって前記フランジ３３５と前記弾性アーム１２の適合の流暢性を保証する。前記滑り止め部３５は滑り止めねじ山であってもよく、ユーザが前記締付けリング３０を回動させるとき手が滑る現象を回避することに用いられる。
【００３３】
図６に示すように、前記レンズ位置制限組立体１００を前記固定枠２１０内に装着する場合、前記弾性素子１０は前記係止口１６を通して前記位置制限構造２５０に嵌め合わせて係合し、前記レンズ装着リング２０は前記締付けリング３０に置かれ且つ前記弾性素子１０上に設置され、前記位置決めピン２３０は前記弾性素子１０の第１位置決め孔１４及び前記レンズ装着リング２０の第２位置決め孔２１１を通過して前記弾性素子１０と前記レンズ装着リング２０を一連に連結する。前記位置制限構造２５０は前記レンズ装着リング２０の装着孔２３１を通過し且つ前記位置制限構造２５０の突出方向に沿って収縮でき、これにより前記レンズ３１０の位置を決める。前記締付けリング３０は前記レンズ装着リング２０の外側に回動可能に設置され、且つ前記フック３３は前記収容溝２１３内に収容され前記弾性素子１０の弾性アーム１２に当接している。
【００３４】
図１１及び図１２に示すように、前記レンズ３１０を前記レンズ装着リング２０内に装着する場合、前記係止体３１４は前記取付部２７から前記レンズ装着リング２０内に滑り込み、そして前記レンズ３１０を回転させることで係止体３１４を前記レンズ装着リング２０の前記位置制限部２５及び弾性アーム１２の下方に回転させ、次に前記締付けリング３０を一方向に沿って回転させ、前記フック３３のフランジ３３５は前記弾性アーム１２の第２端１２３から前記弾性アーム１２の第１端１２１に向かって摺動する。前記弾性アーム１２の第１端１２１の位置が前記第２端１２３の位置より高いため、前記フランジ３３５は摺動すると同時に前記弾性素子１０を付勢し、前記弾性アーム１２は更に前記レンズ３１０の係止体３１４を付勢して前記レンズ３１０を前記カメラのボディ２００の方向に向かって移動させ、これにより前記レンズ３１０を前記カメラのボディ２００に締め付ける。逆方向に沿って前記締付けリング３０を回転させる場合、前記フック３３のフランジ３３５は前記弾性アーム１２の第１端１２１から前記第２端１２３に向かって摺動し、更に前記弾性アーム１２を解放して、前記レンズ３１０と前記カメラのボディ２００を締め付けないとき、前記レンズ３１０は前記カメラのボディ２００から取り出すことができる。
【００３５】
なお、前記フック３３のフランジ３３５の形状は上述の実施例の図に示されたことに限定されず、高さは前記弾性アーム１２の第１端１２１と前記弾性本体１１の間の距離より大きくすればよい。
【００３６】
他の実施例において、前記レンズ装着リング２０はボルト孔とボルトの方式で前記カメラのボディ２００に固定されることに限定されず、粘着剤などの方式で固定されてもよい。
【００３７】
図１３〜図１５に示すように、本発明の第２の好ましい実施例はレンズ位置制限組立体５００を提供する。このレンズ位置制限組立体５００は弾性素子５１０、レンズ装着リング５２０及び締付けリング５３０を含む。このレンズ装着リング５２０はこの弾性素子５１０に設置され、このレンズ装着リング５２０はこの締付けリング５３０内に収容されており、且つこの締付けリング５３０はこのレンズ装着リング５２０に対して回動できる。
【００３８】
この弾性素子５１０は環状の弾性片であり、この弾性片の内側から互いに間隔を空けた３つの弾性アーム５１２が伸びる。この弾性素子５１０には第１位置決め孔５１４と係止口５１６が設けられる。本実施例において、この係止口５１６はこの弾性素子５１０の外壁により内向きに設けられ、且つ半円形である。
【００３９】
このレンズ装着リング５２０にはこの弾性素子５１０の端面に向かって第２位置決め孔５２８が設置され、この第２位置決め孔５２８はブラインドビア（非貫通孔）であり、この第１位置決め孔５１４と対応し且つカメラのボディにおける１つの位置決めピンにより一連に連結される。このレンズ装着リング５２０にはその対向する両端面を貫通し、カメラのボディにおける他の部品と適合するための１つの適合孔５２９、及びカメラのボディと固定するための４つのボルト孔５２９１が更に設けられており、レンズ装着リング５２０の内壁から互いに間隔を空けた３つの位置制限部５２２が延び、且つこのレンズ装着リング５２０のこの弾性素子５１０に向く端面には互いに間隔を空けた３つの収容溝５２７が設けられる。各この収容溝５２７の１つの側には第１合わせ面５２４が設けられる。本実施例において、この収容溝５２７の底面は平面であり、この第１合わせ面５２４はこの底面が外向きに延びることにより形成され、且つこのレンズ装着リング５２０の円周方向に沿って傾斜している。この位置制限部５２２はこのレンズ装着リング５２０の内側に設置される凸部である。各この位置制限部５２２の左右両側は平滑な表面であり、直接にこのレンズ装着リング５２０の内壁面又は内向きに設けられる摺動溝面であってもよい。
【００４０】
この締付けリング５３０の外側には滑り止め溝５３８が設けられ、内側には互いに間隔を空けた３つのフック５３２が設けられる。本実施例において、各このフック５３２は略「Ｌ」字形でありこの締付けリング５３０の内壁から延出し、各このフック５３２はこの締付けリング５３０の内壁と連結する連結部５３２１、及びこの連結部５３２１と連結する屈曲部５３２２を有する。前記レンズ装着リング５２０へ向く各この屈曲部５３２２の表面の端部にはこの表面の他の部分に対して傾斜する第２合わせ面５３４が設けられ、前記第２合わせ面５３４に対向する各この屈曲部５３２２の他方の表面は平面５３６である。この第２合わせ面５３４の傾斜度はこの第１合わせ面５２４と互いに適合し、各このフック５３２は対応するこの収容溝５２７に収容されており、この第２合わせ面５３４はこの第１合わせ面５２４に当接しており、この平面５３６はこの弾性素子５１０の弾性アーム５１２に当接することに用いられる。
【００４１】
外側に互いに間隔を空けた３つの係止体を有するレンズ（図１７）がこのレンズ装着リング５２０内に装着準備する場合、この係止部はこのレンズ装着リング５２０の平滑な表面５２６からこのレンズ装着リング５２０内に滑り込み、そしてこのレンズを回転させることで係止部をこの位置制限部５２２及び弾性素子５１０の弾性アーム５１２の下方に回転させ、次にユーザは一方向に沿ってこの締付けリング５３０を回転させ、このフック５３２の第２合わせ面５３４はこの第１合わせ面５２４において移動し且つこの第１合わせ面５２４の高さの増加につれてこの弾性素子５１０を付勢し、この弾性素子の弾性アーム５１２はこのレンズの係止部をカメラのボディの方向に向かって付勢し、即ちレンズを締め付ける。逆方向に沿ってこの締付けリング５３０を回転させる場合、このフック５３２の第２合わせ面５３４はこの第１合わせ面５２４において逆方向に運動し且つこの第１合わせ面５２４の高さの低減につれてこの弾性素子５１０を解放して、レンズは回転して外すことができる。
【００４２】
図１６と図１７に示すように、本発明の実施例によるカメラのボディ６００は固定枠６１０を含み、この固定枠６１０は接点基部取付位置６１２を有し、外側に係止部が設けられるレンズを装着することに用いられ、この接点基部取付位置６１２にはこのレンズ位置制限組立体５００が設置される。この固定枠６１０には１つの位置決めピン６２１、４つのボルト６２２が更に突出し且つ伸縮可能な位置制限構造６５０が設置され、この弾性素子５１０はこの係止口５１６を通過してこの伸縮可能な位置制限構造６５０の円形ナット６５１と嵌め合わせて係合する。このレンズ装着リング５２０はこの締付けリング５３０と適合してこの弾性素子５１０に設置され、この位置決めピン６２１はこの弾性素子５１０の第１位置決め孔５１４を通過しており、且つこのレンズ装着リング５２０の第２位置決め孔５２８に挿入してこの弾性素子５１０とこのレンズ装着リング５２０を一連に連結する。この４つのボルト６２２はこのレンズ装着リング５２０の４つのボルト孔５２９１に挿入してこのレンズ装着リング５２０を固定する。この伸縮可能な位置制限構造６５０の凸状柱体６５２はこのレンズ装着リング５２０の適合孔５２９から突出し、且つこの凸状柱体６５２の突出方向に沿って伸縮でき、レンズの位置を決める。この締付けリング５３０はこのレンズ装着リング５２０の外周に回動可能に設置される。
【００４３】
図１８〜図２０に示すように、本発明の第２の好ましい実施例によるカメラ８００はレンズ７００とカメラのボディ６００を含む。このレンズ７００は鏡筒７１２を有し、この鏡筒７１２は装着部７１３を有し、この装着部７１３の外壁には互いに間隔を空けた３つの係止体７１４が設けられる。本実施例において、この係止体７１４はフランジである。このレンズ７００がこのレンズ装着リング５２０内に装着準備する場合、この係止体７１４はこのレンズ装着リング５２０の平滑な表面５２６からこのレンズ装着リング５２０内に滑り込み、そしてこのレンズ７００を回転させることで係止体７１４をこの弾性素子５１０の弾性アーム５１２の下方に回転させ、次に一方向に沿ってこの締付けリング５３０を回転させ、このフック５３２の第２合わせ面５３４はこの第１合わせ面５２４において移動し且つこの収容溝５２７の底面に直交する方向におけるこの第１合わせ面５２４の高さの増加につれてこの弾性素子５１０を付勢し、この弾性素子５１０の弾性アーム５１２はこのレンズ７００の係止体７１４を前記カメラのボディ６００の方向に向かって付勢し、即ちレンズ７００を前記カメラのボディ６００に締め付ける。逆方向に沿ってこの締付けリング５３０を回転させる場合、このフック５３２の第２合わせ面５３４はこの第１合わせ面５２４において逆方向に運動し且つこの第１合わせ面５２４の高さの低減につれてこの弾性素子５１０を解放して、レンズ７００は前記カメラのボディ６００から回転して外すことができる。
【００４４】
このカメラのボディ６００内には、レンズ７００が強固に装着されるときレンズ７００内における駆動装置と電気的に接続するための接点６２０が設けられる。
【００４５】
なお、前記弾性アーム５１２、前記収容溝５２７、前記位置制限部５２２、前記フック５３２及び前記係止体７１４の数は上述の数に限定されず、実際の要求に応じて設計されてもよい。
【００４６】
なお、前記フック５３２の形状は上述の実施例の図に示されたことに限定されず、第１合わせ面５２４と弾性素子５１０の間に安定に摺動できればよい。
【００４７】
他の実施例において、前記レンズ装着リング５２０はボルト孔とカメラのボディにおけるボルトの固定方式に限定されず、粘着剤などの方式で固定されてもよい。
【００４８】
従って、本発明の実施例によるレンズ位置制限組立体には締付けリングが設けられる。締付けリングをねじると、弾性素子が付勢を受けてレンズの係止部を押さえることで、レンズを締め付けて、レンズの回転及び軸方向の脱落を防止する。本発明の実施例によるカメラのボディとカメラについては、前記位置制限組立体を有するため、レンズとボディを締め付けることができ、レンズの回転及び軸方向の脱落を防止する。
【００４９】
以上の説明は本発明に係る実施形態にすぎず、本発明の特許保護範囲を限定するものではない。本発明の明細書及び添付図面によって作成したすべての同等の構造又は同等のフローの変更を、直接又は間接的に他の関連する技術分野に実施することは、いずれも同じ理由により本発明の特許保護範囲内に含まれるべきである。
【符号の説明】
【００５０】
３００  カメラ
３１０  レンズ
３１２  鏡筒
３１３  装着部
３１４  係止体
２００  カメラのボディ
２１０  固定枠
２１５  接点
２１６  第１装着孔
２１７  第２装着孔
２１７１  取付柱
２１７３  段差面
２１７４  導通孔
２２０  接点基部取付位置
２３０  位置決めピン
２４０  ボルト
２５０  位置制限構造
２５１  ボタン
２５１１  ボタン体
２５１２  第１面
２５１３  第２面
２５１４  係止空間
２５１５  係止部
２５１６  第１係止アーム
２５１７  第１傾斜面
２５１８  表面
２５１９  第２係止アーム
２５３  位置制限凸部
２５３１  凸状柱体
２５３３  ホルダ
２５３５  シャフトロッド
２５３６  第１支持部
２５３７  第２支持部
２５３８  位置制限端
２５３８ａ  上凸部
２５３８ｂ  下凸部
２５３８ｃ  第２傾斜面
２５３９  支持端
２５５  第１弾性部材
２５７  第２弾性部材
１００  レンズ位置制限組立体
１０  弾性素子
１１  弾性本体
１２  弾性アーム
１２１  第１端
１２３  第２端
１４  第１位置決め孔
１６  係止口
２０  レンズ装着リング
２１  第１端面
２１１  第２位置決め孔
２１３  収容溝
２３  第２端面
２３１  装着孔
２３３  ボルト孔
２５  位置制限部
２７  取付部
３０  締付けリング
３１  本体
３３  フック
３３１  連結部
３３３  屈曲部
３３５  フランジ
３５  滑り止め部
５００  レンズ位置制限組立体
５１０  弾性素子
５１４  第１位置決め孔
５２８  第２位置決め孔
５２９  適合孔
２９１  ボルト孔
５１６  係止口
５２０  レンズ装着リング
５３０  締付けリング
５１２  弾性アーム
５２２  位置制限部
５２７  収容溝
５２４  第１合わせ面
５２６  平滑な表面
５３２  フック
５３２１  連結部
５３２２  屈曲部
５３４  第２合わせ面
５３６  平面
５３８  滑り止め溝
６００  カメラのボディ
６１０  固定枠
６１２  接点基部取付位置
７００  レンズ
７１２  鏡筒
７１３  装着部
７１４  係止体
７２０  接点
７２１  位置決めピン
７２２  ボルト
６５０  伸縮可能な位置制限構造
６５１  円形ナット
６５２  凸状柱体
８００  カメラ
【図１】
2017509930.tif 000003
【図２】
2017509930.tif 000004
【図３】
2017509930.tif 000005
【図４】
2017509930.tif 000006
【図５】
2017509930.tif 000007
【図６】
2017509930.tif 000008
【図７】
2017509930.tif 000009
【図８】
2017509930.tif 000010
【図９】
2017509930.tif 000011
【図１０】
2017509930.tif 000012
【図１１】
2017509930.tif 000013
【図１２】
2017509930.tif 000014
【図１３】
2017509930.tif 000015
【図１４】
2017509930.tif 000016
【図１５】
2017509930.tif 000017
【図１６】
2017509930.tif 000018
【図１７】
2017509930.tif 000019
【図１８】
2017509930.tif 000020
【図１９】
2017509930.tif 000021
【図２０】
2017509930.tif 000022
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
レンズの位置を制限するためのレンズ位置制限組立体であって、前記レンズの外側には係止体が設けられており、前記レンズ位置制限組立体は、
弾性素子と、レンズ装着リングと、締付けリングとを含み、
前記レンズ装着リングは前記弾性素子に設けられており、前記レンズが前記レンズ装着リング内に装着された後、前記係止体は弾性素子の下方に係止されており、
前記締付けリングは一方向へ回動するとき、前記弾性素子に当接し且つ前記弾性素子を付勢し、前記弾性素子に前記レンズの係止体を付勢させることでレンズを締め付けるレンズ位置制限組立体。
【請求項２】
前記弾性素子は環状の弾性片であり、弾性本体と弾性アームを含み、前記弾性アームは前記弾性本体の内側から前記本体の軸線に沿って下向きに伸びることにより形成されており、前記締付けリングはフランジを含み、前記フランジは前記弾性アームに当接していることを特徴とする請求項１に記載のレンズ位置制限組立体。
【請求項３】
前記弾性アームは第１端と第２端を含み、前記本体の軸線の方向における前記第１端の位置は前記弾性本体の軸線の方向における前記第２端の位置より高く、前記弾性アームと前記弾性本体との間に間隙が形成されており、前記フランジは前記間隙内に収容されていることを特徴とする請求項２に記載のレンズ位置制限組立体。
【請求項４】
前記締付けリングは本体と前記本体から内側へ向かって凸設形成されたフックとを含み、前記フックは連結部と屈曲部を含み、前記連結部は前記本体の内壁と互いに連結しており、前記レンズ装着リングは収容溝を含み、前記連結部と前記屈曲部は前記収容溝内に収容されており、前記屈曲部は一端が前記連結部に連結しており、他端がまっすぐに延びており、前記フランジは前記屈曲部の末端で形成され且つ前記弾性アームへ向かって延びていることを特徴とする請求項２に記載のレンズ位置制限組立体。
【請求項５】
前記フランジには前記連結部の１つの側へ向かって傾斜面が形成されており、前記傾斜面は前記フランジと前記屈曲部とを連結していることを特徴とする請求項４に記載のレンズ位置制限組立体。
【請求項６】
前記レンズ装着リングは第１合わせ面を含み、前記第１合わせ面は前記弾性素子へ向く前記レンズ装着リングの端面に設置されており、且つ前記レンズ装着リングの円周方向に沿って傾斜していることを特徴とする請求項１〜５のいずれか一項に記載のレンズ位置制限組立体。
【請求項７】
前記レンズ装着リングの端面には前記第１合わせ面と連結する収容溝が更に設けられており、前記レンズ装着リングは前記締付けリング内に収容されており、前記締付けリングはフックを含み、前記フックは前記締付けリングの内側から延出し且つ前記収容溝内に収容されており、前記レンズ装着リングは前記第１合わせ面に当接する第２合わせ面を含み、前記第２合わせ面は前記レンズ装着リングの表面へ向く前記フックの端部に設置されており、前記第２合わせ面に対向する前記フックの他方の表面は平面であり、前記平面は前記弾性素子に当接していることを特徴とする請求項６に記載のレンズ位置制限組立体。
【請求項８】
前記フックは前記締付けリングの内側と連結する連結部及び前記連結部から屈曲して延びる屈曲部を含み、前記第２合わせ面は前記レンズ装着リングの表面へ向く前記屈曲部の端部に設置されており、前記平面は前記第２合わせ面に対向する前記屈曲部の他方の表面に設置されていることを特徴とする請求項７に記載のレンズ位置制限組立体。
【請求項９】
前記レンズ装着リングは位置制限部を含み、前記位置制限部の左右両側は平滑な表面であり、前記レンズは前記平滑な表面から前記レンズ装着リング内に滑り込んだ後容易に回転して前記係止体を前記位置制限部及び弾性素子の下方に移動させることを特徴とする請求項１〜８のいずれか一項に記載のレンズ位置制限組立体。
【請求項１０】
カメラのボディであって、固定枠及びレンズ位置制限組立体を含み、前記固定枠は接点基部取付位置を有し、レンズの位置を制限するための前記レンズ位置制限組立体は前記接点基部取付位置に設置されており、前記レンズの外側には係止体が設けられており、前記レンズ位置制限組立体は、
弾性素子と、レンズ装着リングと、締付けリングとを含み、
前記レンズ装着リングは前記弾性素子に設けられており、前記レンズが前記レンズ装着リング内に装着された後、前記係止体は弾性素子の下方に係止されており、
前記締付けリングは一方向へ回動するとき、前記弾性素子に当接し且つ前記弾性素子を付勢し、前記弾性素子に前記レンズの係止体を付勢させることでレンズを締め付けるカメラのボディ。
【請求項１１】
前記弾性素子は環状の弾性片であり、弾性本体と弾性アームを含み、前記弾性アームは前記弾性本体の内側から前記本体の軸線に沿って下向きに伸びることにより形成されており、前記締付けリングはフランジを含み、前記フランジは前記弾性アームに当接していることを特徴とする請求項１０に記載のカメラのボディ。
【請求項１２】
前記弾性アームは第１端と第２端を含み、前記本体の軸線の方向における前記第１端の位置は前記弾性本体の軸線の方向における前記第２端の位置より高く、前記弾性アームと前記弾性本体との間に間隙が形成されており、前記フランジは前記間隙内に収容されていることを特徴とする請求項１１に記載のカメラのボディ。
【請求項１３】
前記締付けリングは本体と前記弾性本体から内側へ向かって凸設形成されたフックとを含み、前記フックは連結部と屈曲部を含み、前記連結部は前記弾性本体の内壁と互いに連結しており、前記レンズ装着リングは収容溝を含み、前記連結部と前記屈曲部は前記収容溝内に収容されており、前記屈曲部は一端が前記連結部に連結し、他端がまっすぐに延びており、前記フランジは前記屈曲部の末端で形成され且つ前記弾性アームへ向かって延びていることを特徴とする請求項１１に記載のカメラのボディ。
【請求項１４】
前記フランジには前記連結部の１つの側へ向かって傾斜面が形成されており、前記傾斜面は前記フランジと前記屈曲部とを連結していることを特徴とする請求項１３に記載のカメラのボディ。
【請求項１５】
前記レンズ装着リングは第１合わせ面を含み、前記第１合わせ面は前記弾性素子へ向く前記レンズ装着リングの端面に設置されており、且つ前記レンズ装着リングの円周方向に沿って傾斜していることを特徴とする請求項１０〜１４のいずれか一項に記載のカメラのボディ。
【請求項１６】
前記レンズ装着リングの端面には前記第１合わせ面と連結する収容溝が更に設けられており、前記レンズ装着リングは前記締付けリング内に収容されており、前記締付けリングはフックを含み、前記フックは前記締付けリングの内側から延出し且つ前記収容溝内に収容されており、前記レンズ装着リングは前記第１合わせ面に当接する第２合わせ面を含み、前記第２合わせ面は前記レンズ装着リングの表面へ向く前記フックの端部に設置されており、前記第２合わせ面に対向する前記フックの他方の表面は平面であり、前記平面は前記弾性素子に当接していることを特徴とする請求項１５に記載のカメラのボディ。
【請求項１７】
前記フックは前記締付けリングの内側と連結する連結部及び前記連結部から屈曲して延びる屈曲部を含み、前記第２合わせ面は前記レンズ装着リングの表面へ向く前記屈曲部の端部に設置されており、前記平面は前記第２合わせ面に対向する前記屈曲部の他方の表面に設置されていることを特徴とする請求項１６に記載のカメラのボディ。
【請求項１８】
前記レンズ装着リングは互いに間隔を空けた複数の位置制限部を含み、隣接する２つの位置制限部の間には取付部が形成されており、前記係止体は前記取付部から前記レンズ装着リング内に入り且つ前記位置制限部の下方に係止されていることを特徴とする請求項１０〜１７のいずれか一項に記載のカメラのボディ。
【請求項１９】
前記固定枠には位置決めピンと複数のボルトが設置されており、前記弾性素子には第１位置決め孔が設けられており、前記レンズ装着リングは対向して設置された第１端面と第２端面を含み、前記第１端面には第２位置決め孔が設けられており、前記位置決めピンは前記第１位置決め孔と前記第２位置決め孔を通過しており、前記第２端面には複数のボルト孔が設けられており、前記ボルトは対応する前記ボルト孔を通過していることを特徴とする請求項１０〜１８のいずれか一項に記載のカメラのボディ。
【請求項２０】
前記固定枠は位置制限構造を更に含み、前記弾性素子には係止口が設けられており、前記位置制限構造と前記係止口は嵌め合わせて係合しており、前記レンズ装着リングには前記第１端面と前記第２端面とを貫通して設置される装着孔が更に設けられており、前記位置制限構造は位置制限凸部を含み、前記位置制限凸部は前記装着孔を通過して前記レンズの位置を決めることを特徴とする請求項１９に記載のカメラのボディ。
【請求項２１】
前記固定枠における外壁には内向きに第１装着孔が設けられており、前記レンズ装着リングの前記レンズへ向く側には第２装着孔が設けられており、前記第１装着孔と前記第２装着孔は互いに連通しており、位置制限構造はボタン、第１弾性部材及び第２弾性部材を更に含み、前記ボタンと前記第１弾性部材は前記第１装着孔を通過し、位置制限凸部と前記第２弾性部材は前記第２装着孔を通過していることを特徴とする請求項１０〜２０のいずれか一項に記載のカメラのボディ。
【請求項２２】
前記ボタンはボタン体と前記ボタン体に凸設される２つの互いに間隔を空けた係止部とを含み、各前記係止部は互いに連結する第１連結アームと第２連結アームを含み、前記第１連結アームは第１傾斜面を含み、前記第２連結アームは挟持縁部を含み、前記挟持縁部は前記第１傾斜面から前記ボタン体に平行な方向に沿って下向きに伸びることにより形成されており、前記第１傾斜面は前記位置制限構造に当接し、前記挟持縁部は前記位置制限構造を挟持していることを特徴とする請求項２１に記載のカメラのボディ。
【請求項２３】
前記位置制限構造はホルダ、凸状柱体及びシャフトロッドを含み、前記ホルダは第１支持部を含み、前記凸状柱体と前記シャフトロッドは前記第１支持部の対向する両側に設置されており、前記第２装着孔内には取付柱が形成されており、前記取付柱の両側には段差面が形成されており、前記第２弾性部材は前記シャフトロッドに套設され且つ前記第１支持部と前記段差面との間に当接しており、前記取付柱には導通孔が設けられており、前記シャフトロッドは前記導通孔を通過していることを特徴とする請求項２１又は２２に記載のカメラのボディ。
【請求項２４】
前記ホルダは第２支持部を含み、前記第２支持部の上部には内側へ向かって２つの位置制限端及び支持端が形成されており、前記第１弾性部材はボタン体と前記支持端との間に当接し、前記位置制限端は対向して設置される上凸部と下凸部を含み、前記下凸部には第２傾斜面が形成されており、第１傾斜面は前記第２傾斜面に当接しており、係止部は前記位置制限端を通過し、挟持縁部は前記下凸部を挟持していることを特徴とする請求項２３に記載のカメラのボディ。
【請求項２５】
カメラであって、レンズ及びカメラのボディを含み、前記カメラのボディは固定枠及びレンズ位置制限組立体を含み、前記固定枠は接点基部取付位置を有し、前記レンズの位置を制限するための前記レンズ位置制限組立体は前記接点基部取付位置に設置されており、前記レンズの外側には係止体が設けられており、前記レンズ位置制限組立体は、
弾性素子と、レンズ装着リングと、締付けリングとを含み、
前記レンズ装着リングは前記弾性素子に設けられており、前記レンズが前記レンズ装着リング内に装着された後、前記係止体は弾性素子の下方に係止されており、
前記締付けリングは一方向へ回動するとき、前記弾性素子に当接し且つ前記弾性素子を付勢し、前記弾性素子に前記レンズの係止体を付勢させることでレンズを締め付けるカメラ。
【請求項２６】
前記弾性素子は環状の弾性片であり、弾性本体と弾性アームを含み、前記弾性アームは前記弾性本体の内側から前記本体の軸線に沿って下向きに伸びることにより形成されており、前記締付けリングはフランジを含み、前記フランジは前記弾性アームに当接していることを特徴とする請求項２５に記載のカメラ。
【請求項２７】
前記弾性アームは第１端と第２端を含み、前記本体の軸線の方向における前記第１端の位置は前記弾性本体の軸線の方向における前記第２端の位置より高く、前記弾性アームと前記弾性本体との間に間隙が形成されており、前記フランジは前記間隙内に収容されていることを特徴とする請求項２６に記載のカメラ。
【請求項２８】
前記締付けリングは本体と前記弾性本体から内側へ向かって凸設形成されたフックとを含み、前記フックは連結部と屈曲部を含み、前記連結部は前記本体の弾性内壁と互いに連結しており、前記レンズ装着リングは収容溝を含み、前記連結部と前記屈曲部は前記収容溝内に収容されており、前記屈曲部は一端が前記連結部に連結し、他端がまっすぐに延びており、前記フランジは前記屈曲部の末端で形成され且つ前記弾性アームへ向かって延びていることを特徴とする請求項２６に記載のカメラ。
【請求項２９】
前記フランジには前記連結部の１つの側へ向かって傾斜面が形成されており、前記傾斜面は前記フランジと前記屈曲部とを連結していることを特徴とする請求項２８に記載のカメラ。
【請求項３０】
前記レンズ装着リングは第１合わせ面を含み、前記第１合わせ面は前記弾性素子へ向く前記レンズ装着リングの端面に設置されており、且つ前記レンズ装着リングの円周方向に沿って傾斜していることを特徴とする請求項２５〜２９のいずれか一項に記載のカメラ。
【請求項３１】
前記レンズ装着リングの端面には前記第１合わせ面と連結する収容溝が更に設けられており、前記レンズ装着リングは前記締付けリング内に収容されており、前記締付けリングはフックを含み、前記フックは前記締付けリングの内側から延出し且つ前記収容溝内に収容されており、前記レンズ装着リングは前記第１合わせ面に当接する第２合わせ面を含み、前記第２合わせ面は前記レンズ装着リングの表面へ向く前記フックの端部に設置されており、前記第２合わせ面に対向する前記フックの他方の表面は平面であり、前記平面は前記弾性素子に当接していることを特徴とする請求項３０に記載のカメラ。
【請求項３２】
前記フックは前記締付けリングの内側と連結する連結部及び前記連結部から屈曲して延びる屈曲部を含み、前記第２合わせ面は前記レンズ装着リングの表面へ向く前記屈曲部の端部に設置されており、前記平面は前記第２合わせ面に対向する前記屈曲部の他方の表面に設置されることを特徴とする請求項３１に記載のカメラ。
【請求項３３】
前記レンズ装着リングは互いに間隔を空けた複数の位置制限部を含み、隣接する２つの位置制限部の間には取付部が形成されており、前記係止体は前記取付部から前記レンズ装着リング内に入り且つ前記位置制限部の下方に係止されていることを特徴とする請求項２５〜３２のいずれか一項に記載のカメラ。
【請求項３４】
前記固定枠には位置決めピンと複数のボルトが設置されており、前記弾性素子には第１位置決め孔が設けられており、前記レンズ装着リングは対向して設置される第１端面と第２端面を含み、前記第１端面には第２位置決め孔が設けられており、前記位置決めピンは前記第１位置決め孔と前記第２位置決め孔とを通過しており、前記第２端面には複数のボルト孔が設けられており、前記ボルトは対応する前記ボルト孔を通過していることを特徴とする請求項２５〜３３のいずれか一項に記載のカメラ。
【請求項３５】
前記固定枠は位置制限構造を更に含み、前記弾性素子には係止口が設けられており、前記位置制限構造と前記係止口は嵌め合わせて係合し、前記レンズ装着リングには前記第１端面と前記第２端面とを貫通して設置される装着孔が更に設けられており、前記位置制限構造は位置制限凸部を含み、前記位置制限凸部は前記装着孔を通過して前記レンズの位置を決めることを特徴とする請求項３４に記載のカメラ。
【請求項３６】
前記固定枠における外壁には内向きに第１装着孔が設けられており、前記固定枠の前記レンズへ向く側には第２装着孔が設けられており、前記第１装着孔と前記第２装着孔は互いに連通しており、位置制限構造はボタン、第１弾性部材及び第２弾性部材を更に含み、前記ボタンと前記第１弾性部材は前記第１装着孔内に収容されており、位置制限凸部と前記第２弾性部材は前記第２装着孔内に収容されていることを特徴とする請求項２５〜３５のいずれか一項に記載のカメラ。
【請求項３７】
前記ボタンはボタン体と前記ボタン体に凸設される２つの互いに間隔を空けた係止部とを含み、各前記係止部は互いに連結する第１連結アームと第２連結アームを含み、前記第１連結アームは第１傾斜面を含み、前記第２連結アームは挟持縁部を含み、前記挟持縁部は前記第１傾斜面から前記ボタン体に平行な方向に沿って下向きに伸びることにより形成されており、前記第１傾斜面は前記位置制限構造に当接し、前記挟持縁部は前記位置制限構造を挟持していることを特徴とする請求項３６に記載のカメラ。
【請求項３８】
前記位置制限構造はホルダ、凸状柱体及びシャフトロッドを含み、前記ホルダは第１支持部を含み、前記凸状柱体と前記シャフトロッドは前記第１支持部の対向する両側に設置されており、前記第２装着孔内には取付柱が形成されており、前記取付柱の両側には段差面が形成されており、前記第２弾性部材は前記シャフトロッドに套設され且つ前記第１支持部と前記段差面との間に当接し、前記取付柱には導通孔が設けられ、前記シャフトロッドは前記導通孔を通過していることを特徴とする請求項３６又は３７に記載のカメラ。
【請求項３９】
前記ホルダは第２支持部を含み、前記第２支持部の上部には内側へ向かって２つの位置制限端及び支持端が形成されており、前記第１弾性部材はボタン体と前記支持端との間に当接し、前記位置制限端は対向して設置された上凸部と下凸部を含み、前記下凸部には第２傾斜面が形成され、第１傾斜面は前記第２傾斜面に当接しており、係止部は前記位置制限端を通過しており、挟持縁部は前記下凸部を挟持していることを特徴とする請求項３８に記載のカメラ。
【請求項４０】
前記レンズは鏡筒を含み、前記鏡筒の底端には装着部が設けられており、前記係止体は間隔を空けて前記装着部の外壁に設置されていることを特徴とする請求項２５〜３９のいずれか一項に記載のカメラ。
【国際調査報告】
2017509930.tif 000023
2017509930.tif 000024
2017509930.tif 000025
2017509930.tif 000026
2017509930.tif 000027